(57)【特許請求の範囲】
【請求項１】
観測核の周波数に対応した周波数を有するＲＦ送信信号を生成する送信信号生成部と、
前記観測核から得たＲＦ受信信号を処理する受信信号処理部と、
前記観測核の周波数が高周波数帯に属する場合に周波数変換方式を選択し、前記観測核の周波数が前記高周波数帯よりも低い低周波数帯に属する場合に非変換方式を選択する制御部と、
を含み、
前記送信信号生成部は、
生成する送信信号の周波数を所定周波数範囲内において自在に定め得る回路であって、前記周波数変換方式が選択された場合にＩＦ（中間周波数）送信信号を生成し、前記非変換方式が選択された場合に前記ＲＦ送信信号を生成する原信号発生回路と、
前記周波数変換方式が選択された場合に前記ＩＦ周波数信号を前記ＲＦ送信信号に変換する送信側周波数変換回路と、
を含み、
前記受信信号処理部は、
前記周波数変換方式が選択された場合に前記ＲＦ受信信号をＩＦ受信信号に変換する受信側周波数変換回路と、
前記周波数変換方式が選択された場合に前記ＩＦ受信信号をサンプリングし、前記非変換方式が選択された場合に前記ＲＦ受信信号をサンプリングするサンプリング回路と、
を含む、ことを特徴とする磁気共鳴測定装置。
【請求項２】
請求項１記載の装置において、
前記受信側周波数変換回路は、前記ＩＦ受信信号を処理して前記サンプリング回路へ出力するバンドパスフィルタを含み、
前記周波数変換方式が選択された場合に前記サンプリング回路でのサンプリング方式がアンダーサンプリングとなり、前記非変換方式が選択された場合に前記サンプリング回路でのサンプリング方式がオーバーサンプリングとなり、
前記バンドパスフィルタは、前記周波数変換の際に生じた不要周波数成分を除去する第１の機能、及び、前記アンダーサンプリングの前に所定のナイキストゾーン以外に存在する不要信号を除去する第２の機能、を有する、
ことを特徴とする磁気共鳴測定装置。
【請求項３】
請求項１記載の装置において、
前記制御部は、
前記観測核の周波数が前記サンプリング回路のサンプリング周波数の１／２により規定される前記高周波数帯に属する場合に前記周波数変換方式を選択し、
前記観測核の周波数が前記サンプリング回路のサンプリング周波数の１／２により規定される前記低周波数帯に属する場合に前記非変換方式を選択する、
ことを特徴とする磁気共鳴測定装置。
【請求項４】
請求項１記載の装置において、
前記送信側周波数変換回路は、前記観測核の周波数に応じて、前記ＩＦ送信信号に対して送信周波数変換用ローカル信号をミキシングすることにより生じる差周波数成分及び和周波数成分の内でいずれかを抽出し、それを前記ＲＦ送信信号として出力する、
ことを特徴とする磁気共鳴測定装置。
【請求項５】
請求項１記載の装置において、
前記受信側周波数変換回路は、前記観測核の周波数に応じて、前記ＲＦ受信信号に対して受信周波数変換用ローカル信号をミキシングすることにより生じる差周波数成分及び和周波数成分の内でいずれかを抽出し、それを前記ＩＦ受信信号として出力する、
ことを特徴とする磁気共鳴測定装置。
【請求項６】
請求項１記載の装置において、
前記送信側周波数変換回路は、
周波数変換用ミキサーを備える周波数変換経路と、
前記周波数変換経路と並列に設けられたバイパス経路と、
前記周波数変換経路と前記バイパス経路とを選択する選択回路と、
を含むことを特徴とする磁気共鳴測定装置。
【請求項７】
請求項１記載の装置において、
前記受信側周波数変換回路は、
前記周波数変換用ミキサーを備える周波数変換経路と、
前記周波数変換経路と並列に設けられたバイパス経路と、
前記周波数変換経路と前記バイパス経路とを選択する選択回路と、
を含むことを特徴とする磁気共鳴測定装置。
【発明の詳細な説明】
【技術分野】
【０００１】
本発明は磁気共鳴測定装置に関し、特に、送信信号及び受信信号の処理に関する。
【背景技術】
【０００２】
磁気共鳴測定装置として、核磁気共鳴（NMR：Nuclear Magnetic Resonance）測定装置、及び、電子スピン共鳴（ESR：Electron Spin Resonance）測定装置が知られている。ＮＭＲ測定装置に類する装置として、磁気共鳴画像（MRI：Magnetic Resonance Imaging）装置も知られている。以下、ＮＭＲ測定装置について説明する。
【０００３】
ＮＭＲは静磁場中におかれた原子核が固有の周波数をもった電磁波と相互作用する現象である。その現象を利用して原子レベルで試料の測定を行う装置がＮＭＲ測定装置である。今日、ＮＭＲ測定装置は、有機化合物（例えば薬品、農薬）、高分子材料（例えばビニール、ポリエチレン）、生体物質（例えば、核酸、タンパク質）、等の分析において活用されている。ＮＭＲ測定装置を利用すれば例えば試料の分子構造を解明することが可能である。
【０００４】
ＮＭＲ測定装置は、一般に、制御コンピューター、ＲＦ信号送信部、ＮＭＲ信号検出器（プローブ）、静磁場発生器（超伝導磁石）、ＮＭＲ信号受信部等を含む。もっとも、それらの一部をＮＭＲ測定装置と称することもあり、例えば、制御コンピューター、ＲＦ信号送信部及びＮＭＲ信号受信部を含む分光計（Spectrometer）の部分をＮＭＲ測定装置と称することもある。典型的なＮＭＲ測定では、送信部においてＮＭＲ測定用の高周波信号（ＲＦ送信信号）が生成され、その送信信号がプローブ内の送受信コイルに供給される。これにより生じた電磁波によって試料中の観測核において共鳴吸収現象が生じる。その後に、送受信コイルに誘起されるＮＭＲ信号（ＲＦ受信信号）が受信部に送られ、その受信信号のスペクトルが解析される。
【先行技術文献】
【特許文献】
【０００５】
【特許文献１】特開２０１０−１３９３１６号公報
【発明の概要】
【発明が解決しようとする課題】
【０００６】
ＮＭＲ測定においては、観測核その他の条件に従い、様々な周波数をもった送信信号（ＲＦ信号）を生成する必要がある。しかも、精密かつ高速な信号制御を高い安定性をもって実行する必要がある。そこで、一般的なＮＭＲ測定装置においては、中間周波数信号（ＩＦ送信信号）に対してローカル信号を混合することによりＲＦ送信信号が生成されており、一方、ＲＦ受信信号に対しては同一のローカル信号を混合することにより中間周波数信号（ＩＦ受信信号）が生成されている（スーパーヘテロダイン方式）（特許文献１参照）。なお、ＩＦ受信信号は、例えば、直交検波処理によりオーディオ周波数信号（あるいはベースバンド信号）に変換され、それに対してフィルター処理やＦＦＴ処理が施される。
【０００７】
しかしながら、ＮＭＲ測定では、一般に、ＲＦ送信信号及びＲＦ受信信号において信号純度の低下（例えば、位相雑音の増加、不要信号やノイズの混入）が問題となるので、ＲＦ送信信号及びＲＦ受信信号をみだりに操作又は処理しない方が望ましいこともある。特に、ＮＭＲの固有周波数が低い場合、原理上、ＮＭＲ信号の感度・精度がより損なわれやすく、信号純度の問題が顕著になることもある。また、他の理由から信号純度が問題となることもある。
【０００８】
本発明の目的は、磁気共鳴測定装置において、信号純度の維持を優先しなければならない状況と、他の事情を優先しなければならない状況、の両方に適合した信号処理を実現することにある。あるいは、観測核の周波数に応じて適切な信号処理を行えるようにすることにある。あるいは、送信信号生成方式及び受信信号処理方式を状況に応じて変更できるようにすることにある。
【課題を解決するための手段】
【０００９】
本発明に係る磁気共鳴測定装置は、ＲＦ送信信号を生成する送信信号生成部と、ＲＦ受信信号を処理する受信信号処理部と、を含み、前記送信信号生成部及び前記受信信号処理部の内の少なくとも一方が周波数変換方式及び非変換方式を選択的に適用する機能を備えることを特徴とするものである。ここで、周波数変換方式は、信号処理過程において、中間周波数からの又は中間周波数への変換処理を実行する方式であり、非変換方式は、信号処理過程において、変換処理を実行しない方式である。
【００１０】
上記構成によれば、送信信号生成部及び受信信号処理部の少なくとも一方が周波数変換方式及び非変換方式の両方に対応しており、状況に応じて適切な方式を選択することが可能となる。例えば、信号純度の維持を優先したい場合には、非変換方式を採用し、それ以外の場合には変換方式を採用するようにしてもよい。本発明によれば、画一的あるいは固定的な処理による問題を改善できる。中間周波数（ＩＦ）からの変換処理は、中間周波数を、ＲＦ送信信号の周波数に変換する処理である。中間周波数への変換処理は、ＲＦ受信信号（ＮＭＲ信号）の周波数を中間周波数に変換する処理である。なお、後者は中間周波数からベースバンドへ変換する処理とは異なるものであり、そのような最終的な変換処理はいずれの方式においても受信信号処理において必要に応じて適用され得る。
【００１１】
望ましくは、前記周波数変換方式及び前記非変換方式を選択する制御部を含み、前記制御部が前記周波数変換方式を選択した場合に、前記送信信号生成部及び前記受信信号処理部がともに前記周波数変換方式に従って動作し、前記制御部が前記非変換方式を選択した場合に、前記送信信号生成部及び前記受信信号処理部がともに前記非変換方式に従って動作する。この構成によれば、送信信号生成及び受信信号処理において常に同じ方式が適用されるので、それらの間で異なる方式を適用する場合に生じ得る問題を回避できる。つまり、送信信号と受信信号の同期性を保持できる。
【００１２】
望ましくは、前記制御部は、観測核に応じて前記周波数変換方式又は前記非変換方式を選択する。他の条件による選択やユーザー選択等も考えられる。望ましくは、前記制御部は、前記観測核に対応する周波数が、ＩＦ信号生成部またはＩＦ信号処理部において直接的に取り扱うことが困難な高周波数帯に属する場合に、前記周波数変換方式を選択し、前記観測核に対応する周波数が、前記高周波帯よりも低い低周波数帯に属する場合に前記非変換方式を選択する。上記構成は、高い周波数の信号を直接的に生成する回路や高い周波数の信号を受信可能な回路を実現するには一般的に困難な場合があること、及び、周波数が低い場合に特に信号純度が問題となり得ること、を踏まえたものである。全周波数域において非変換方式を適用すると、多数の回路を広帯域化しなければならないが、低周波数帯域だけに非変換方式を適用するなら、そのような問題を回避又は低減できる。全周波数域において周波数変換方式を適用すると、回路上、直接的に取り扱い得る低周波数帯域の信号に対しても周波数変換が一律に適用されることになり、そのような信号において純度が低下してしまう。これに対して、上記構成によれば、高周波数帯域だけに変換方式が適用されるので、純度低下の問題を回避又は低減できる。
【００１３】
望ましくは、前記送信信号生成部は、前記周波数変換方式が選択された場合にＩＦ（中間周波数）送信信号を生成し、前記非変換方式が選択された場合に前記ＲＦ送信信号を生成する原信号発生回路と、前記周波数変換方式が選択された場合に前記ＩＦ周波数信号を前記ＲＦ送信信号に変換する送信側周波数変換回路と、を含む。望ましくは、前記送信側周波数変換回路は、周波数変換用ミキサーを備える周波数変換経路と、前記周波数変換経路と並列に設けられたバイパス経路と、前記周波数変換経路と前記バイパス経路とを選択する選択回路と、を含む。この構成によれば前記経路のルーティングによって周波数変換の有無を切り換えられる。バイパス経路上に何らかの処理回路を設けるようにしてもよいが、何らの処理回路も設けなければ信号の純度を維持できる。
【００１４】
望ましくは、前記受信信号処理部は、前記周波数変換方式が選択された場合に前記ＲＦ受信信号をＩＦ受信信号に変換する受信側周波数変換回路と、前記周波数変換方式が選択された場合に前記ＩＦ受信信号をサンプリングし、前記非変換方式が選択された場合に前記ＲＦ受信信号をサンプリングするサンプリング回路と、を含む。望ましくは、前記受信側周波数変換回路は、周波数変換用ミキサーを備える周波数変換経路と、前記周波数変換経路と並列に設けられたバイパス経路と、前記周波数変換経路と前記バイパス経路とを選択する選択回路と、を含む。
【００１５】
望ましくは、前記送信信号生成部及び前記受信信号処理部の内の少なくとも一方は、前記周波数変換方式において周波数変換動作を行うと共に前記非変換方式において非変換動作を行うミキサーを有し、前記周波数変換方式及び前記非変換方式のいずれの方式でも前記ミキサーを信号が通過する。この構成によれば、方式切り換えに際して前記経路のルーティングが不要となるので、前記選択回路を除外できるという利点を得られる。例えば、ミキサーを非変換方式で動作させるために、それに入力されるローカル信号をＤＣ信号（０Ｈｚ信号相当）にしてもよい。
【発明の効果】
【００１６】
本発明によれば、磁気共鳴測定装置において、信号の純度の維持を優先しなければならない状況と、他の事情を優先しなければならない状況、の両方に適合した信号処理を実現できる。あるいは、観測核の周波数に応じて適切な信号処理を行える。あるいは、送信信号生成方式及び受信信号処理方式を状況に応じて変化させることが可能である。
【図面の簡単な説明】
【００１７】
【図１】本発明に係るＮＭＲ測定装置の好適な実施形態を示すブロック図である。
【図２】送信信号生成部の構成例を示すブロック図である。
【図３】受信信号処理部の構成例を示すブロック図である。
【図４】観測核の周波数に応じた動作条件の変更を説明するための図である。
【図５】送信側周波数変換回路の第１動作例である。
【図６】送信側周波数変換回路の第２動作例である。
【図７】受信側周波数変換回路の第１動作例である。
【図８】受信側周波数変換回路の第２動作例である。
【図９】送信側周波数変換回路の第２例である。
【図１０】受信側周波数変換回路の第２例である。
【図１１】送信側周波数変換回路の第３例である。
【図１２】受信側周波数変換回路の第３例である。
【図１３】送信側周波数変換回路の第４例である。
【図１４】受信側周波数変換回路の第４例である。
【図１５】送信側周波数変換回路及び受信側周波数変換回路の第５例である。
【発明を実施するための形態】
【００１８】
以下、本発明の好適な実施形態を図面に基づいて説明する。
【００１９】
（１）ＮＭＲ測定装置
図１には、本発明に係るＮＭＲ測定装置の実施形態が示されている。このＮＭＲ測定装置は、有機化合物、高分子材料、生体物質、その他の物質の分析において用いられるものである。測定対象となる試料は液体、固体等である。なお、本発明は、他の磁気共鳴測定装置に対しても適用可能である。
【００２０】
図１において、ホストコンピューター１０は、パルスプログラムを生成するものである。パルスプログラムは、所望のＮＭＲ測定を実現するためのパルスシーケンスを記述したものであり、それはユーザーによりあるいは自動的に生成される。パルスプログラムはホストコンピューター１０から分光計制御コンピューター１２へ送られる。ホストコンピューター１０は一般的なパーソナルコンピューターで構成され得る。
【００２１】
分光計制御コンピューター１２は、以下に詳述する送受信ユニット２０の動作を制御し、また送受信ユニット２０から得られる受信データを解析するものである。分光計制御コンピューター１２及び送受信ユニット２０により分光計が構成される。本実施形態において、分光計制御コンピューター１２は、パルスプログラムを命令列に変換する命令列生成部１４を搭載している。命令列生成部１４は例えばコンパイラーとして構成される。本実施形態において、命令列生成部１４は、送受信ユニット２０を制御するための命令列を生成しており、命令列が送受信ユニット２０に送られている。なお、送受信ユニット２０に対してパルスプログラムをわたし、送受信ユニット２０においてパルスプログラムを解釈して命令列を生成してもよい。また、分光計制御コンピューター１２において、圧縮構造等によって構成される中間命令列を生成してそれを転送し、送受信ユニット２０において中間命令列を展開することで非圧縮の命令列を再構成してもよい。特に、転送時の転送レート（データ量）が問題となる場合、上述のように圧縮された中間命令列を転用するのが望ましい。
【００２２】
分光計制御コンピューター１２は、通信バス１８を経由して、送受信ユニット２０に接続されている。図示の例では、分光計制御コンピューター１２は、ホストコンピューター１０に対してネットワークを介して接続されている。分光計制御コンピューター１２は、例えば、専用又は汎用のコンピューターによって構成される。本実施形態において、分光計制御コンピューター１２は、受信信号をスペクトル解析するＦＦＴ演算機能を搭載している。それが図１において受信信号解析部１６として表されている。分光計制御コンピューター１２は、スペクトル解析機能の他、ＮＭＲ測定において必要となる制御機能、解析機能及び管理機能を搭載している。なお、ホストコンピューター１０と分光計制御コンピューター１２が一体化されていてもよい。また、複数の分光計制御コンピューター１２が構成されてもよい。更に、上述の分光計制御コンピューター１２の機能の一部または全てをホストコンピューター１０に搭載してもよい。
【００２３】
送受信ユニット２０について説明する。送受信ユニット２０は、ＮＭＲ測定で必要となる送信信号を生成し、またＮＭＲ測定結果である受信信号を処理するものである。送受信ユニット２０又はそれと分光計制御コンピューター１２とを合わせた部分（分光計）をＮＭＲ測定装置と称することも可能である。
【００２４】
命令列用メモリー２２には、本実施形態において、分光計制御コンピューター１２から送られてきた命令列が格納される。例えば、命令列がいったん先述の中間命令列に変換されている場合、演算処理部（図示せず）によって、その中間命令列から最終的な命令列が生成（再構成）される。もちろん、他の回路によって命令列が生成されてもよい。命令列用メモリー２２上には、命令列を後述のシーケンサー単位で格納する複数の記憶領域が設けられる。各シーケンサーの内部にそのような記憶領域が設けられてもよい。命令列は多様な命令からなり、それには個々の動的回路へ与える動的設定値（例えば後述の動的可変アッテネーターに設定する抑圧レベル）が含まれる。
本実施形態においては、命令列用メモリー２２に加えて、制御レジスター用メモリー２４が設けられている。制御レジスター用メモリー２４上にはレジスター領域が設定され、そのレジスター領域には個々の静的回路に対して与える静的設定値が書き込まれる。その設定条件は、命令列と同様に、パルスプログラムを元に生成される。その書き込みは分光計制御コンピューター１２によって行われている。例えば、図示されていないコントローラーが、レジスター領域から各静的設定値を読み出して、それを各静的回路へ設定してもよい。あるいは、個々の静的回路がレジスター領域から静的設定値を自ら取得するようにしてもよい。
【００２５】
なお、本願明細書において、静的とは、基本的に、測定の実行開始前に回路（静的回路）の動作条件を定めることを意味し、動的とは、基本的に、測定の実行中において回路（動的回路）の動作条件を定める（つまり動作条件を変更する）ことを意味する。つまり、静的回路に対しては、測定の実行開始前に必要な設定値が与えられ、測定の実行中においてその設定値は維持される。動的回路に対しては、測定の実行中において必要なタイミングで設定値を更新する制御が適用される。これにより動的回路の動作条件が動的に変化する。
【００２６】
複数の送信シーケンサー２６は、送信信号生成部３０が有する複数の送信信号生成器等の動作を制御するものである。具体的には、個々の送信シーケンサー２６は、自己のために用意された命令列を先頭から順次実行する。本実施形態においては、４つの送信信号生成器（４つの信号発生器（図２））が設けられており、それに合わせて４つの送信シーケンサー２６が設けられている。具体的には、第１送信シーケンサーは第１信号発生器を制御しており、第２送信シーケンサーは第２信号発生器を制御しており、第３送信シーケンサーは第３信号発生器を制御しており、第４送信シーケンサーは第４信号発生器を制御している。但し、１対１の対応関係は必須ではなく、１つの送信シーケンサーが複数の信号発生器を制御してもよく、あるいは、複数の送信シーケンサーが１つの信号発生器を制御してもよい。複数の送信信号の合成を行う回路（後に図２に示す加算器）及びそれ以降に設けられる回路（後に図２に示す加算器より後段の回路）の動作の制御については、４つの送信シーケンサーのうちの一部又は全部が担っている。パルスプログラムから生成された命令列に従って、各動的回路が適切なタイミングで適切な動作を行える限りにおいて、シーケンサーあるいはローカル制御部として多様な構成を採用し得る。なお、本願明細書において明示する数値はいずれも例示に過ぎないものである。
【００２７】
受信シーケンサー２８は、基本的に個々の送信シーケンサー２６と同一の構成を備えており、それは自己のために用意された命令列を先頭から順番に実行する。これによって、受信信号処理部３４が有する各動的回路の動作が制御される。本実施形態によれば、受信回路についても動的に制御することが可能である。例えば、後述するように、直交検波で用いられる一対の参照信号に対して周波数変調及び位相変調を適用することも可能であり、しかもそれらの条件を測定実行中に動的に変化させることが可能である。本実施形態においては、単一の受信シーケンサー２８のみを例示しているが、複数の受信シーケンサーによって、受信信号処理部３４を制御しても構わない。また、１又は複数の送信シーケンサー、及び、１又は複数の受信シーケンサーの制御タイミング等を統括的に管理するシーケンサーを別途設けてもよい。
【００２８】
送信信号生成部３０は、複数の送信信号生成器としての複数の信号発生器、合成器としての加算器、ＤＡ変換器（ＤＡＣ）、信号処理回路、周波数変換回路等を備えている。その具体的な構成例については後に図２を用いて説明する。送信信号生成部３０によって、ＮＭＲ測定用のＲＦ送信信号３１が生成される。ＲＦ送信信号３１はアナログ信号であり、それは信号増幅を行うパワーアンプ３２に送られる。パワーアンプ３２において増幅されたＲＦ送信信号がＴ／Ｒスイッチ（送受信切替器）３８を介してプローブ４０に送られる。
【００２９】
プローブ４０は、送受信コイル（図示されていない）を備えた挿入部４０Ａと、その根元部分に相当する筐体部４０Ｂと、により構成される。図示の例では、プローブが１つのポートを備えており、つまり１つのＲＦ送信信号がプローブに入力されている。２つあるいはそれ以上の個数のポートを備えたプローブを利用することも可能である。挿入部４０Ａは、円筒形を有し、それは静磁場発生器４２のボア（円筒腔）内に挿入される。送受信コイルにＲＦ送信信号が供給されると、そこで生じた電磁波が試料に照射され、観測核において共鳴吸収現象が生じる。その後、送受信コイルに誘起されるＮＭＲ信号（ＲＦ受信信号）がプローブ４０からＴ／Ｒスイッチ３８を経由して受信信号処理部３４へ送られている。
【００３０】
本実施形態において、Ｔ／Ｒスイッチ３８は、送信時にＲＦ送信信号をプローブへ送り、受信時にプローブからのＲＦ受信信号を受信信号処理部３４へ送るルーティング機能を有している。Ｔ／Ｒスイッチ３８からの受信信号３９はプリアンプ４１で増幅され、増幅された受信信号４３が受信信号処理部３４に送られている。プリアンプ４１がＴ／Ｒスイッチ３８に内蔵されてもよい。
【００３１】
送受信ユニット２０内の受信信号処理部３４は、入力されたＲＦ受信信号に対して周波数変換、ＡＤ変換、直交検波、等の処理を実行する回路である。具体的な構成例については後に図３を用いて説明する。処理後の受信信号（複素信号）が受信データとして受信データ用メモリー３６上にいったん格納される。受信データ用メモリー３６から読み出された受信データが分光計制御コンピューター１２へ送られ、そこで受信データの解析が実行される。但し、送受信ユニット２０内において受信データの解析を行うようにしてもよい。
【００３２】
（２）送信信号生成部
次に図２を用いて送信信号生成部３０の具体的な構成例について説明する。図２において、４つの信号発生器４４は、最大４つの送信信号を生成するものである。４つの信号発生器４４の動作は基本的に４つの送信シーケンサーによって制御される。具体的には、各信号発生器４４の動作を規定するパラメータセットが各送信シーケンサーから各信号発生器４４へ与えられている。本実施形態では、各信号発生器４４はＮＣＯ（Numerical Controlled Oscillator）を含む。ＮＣＯは、位相アキュムレーター、サイン波ルックアップテーブル等を含むものである。ＮＣＯを利用して、周波数変調、位相変調、及び、振幅変調を行える。すなわち、それぞれ独立して変調処理等が施された送信信号（原信号）が各信号発生器４４において生成される。当然ながら、ＮＣＯにおいて生成される信号の周波数を自在に定めることが可能である。
【００３３】
本実施形態においては、信号発生器４４による送信信号の周波数を例えば５〜２００ＭＨｚにおいて任意に選択することが可能である。後述するように、観測核の周波数（ＲＦ信号の周波数）が例えば５ＭＨｚ以上５０ＭＨｚ未満の低周波数帯に属する場合、生成される送信信号の周波数（原周波数）がそのままＲＦ信号の周波数となる。一方、観測核の周波数が例えば５０ＭＨｚ以上１０００ＭＨｚ以下の高周波数帯に属する場合、生成される送信信号の周波数（原周波数）として例えば１２５ＭＨｚが選択され、それが中間周波数となる。中間周波数信号に対する周波数変換により最終的なＲＦ送信信号が生成される。
【００３４】
加算器４６は、複数の信号発生器４４において生成された複数の送信信号（デジタル信号）を加算して、デジタル合成信号を生成する回路である。信号発生器群において実際には１つの送信信号だけが生成されることもあるが、多くの場合に、複数の送信信号が生成される。便宜上、加算器４６の出力信号をデジタル合成信号と称することにする。そのデジタル合成信号は、ＤＡＣ（ＤＡ変換器）４８に送られている。ＤＡＣ４８には例えば８００ＭＨｚのサンプリングクロックが入力されており、デジタル合成信号がアナログ合成信号に変換される。ＤＡＣ４８の後段に設けられたフィルター、アンプ、その他の回路については図示省略されている。
【００３５】
ＤＡＣ４８の後段には信号処理回路５０が設けられており、それは動的可変ＡＴＴ（アッテネーター）５２を含む。動的可変ＡＴＴ５２は、測定実行中において、いずれかのシーケンサーによって動的に制御されるものである。具体的には動的可変ＡＴＴ５２の作用によって、測定実行中において、パルス列に対する抑圧レベルを動的に可変することが可能である。例えば、動的可変ＡＴＴ５２に入力されるアナログ合成信号が大振幅の矩形パルス（ハードパルス）とそれに続く大振幅の山状の成形パルス（ソフトパルス）とを含む場合、先行する矩形パルスの直後において抑圧レベルを大きくすれば、例えば、０ｄＢから−６０ｄＢへ抑圧レベルを変更すれば、先行の矩形パルスの振幅及び波形を維持したまま、後続の山状パルスの振幅を全体的に抑圧することが可能である。これにより、例えば矩形パルスと成形パルスにレベル差（振幅強度の差）を設けたい等の条件を満たした設計通りのパルスシーケンスを事後的に実現することが可能である。動的可変ＡＴＴ５２の抑圧レベルの刻みは例えば１ｄＢである。
【００３６】
動的可変ＡＴＴ５２は、例えば、複数のＡＴＴ素子からなり、それらの中から１又は複数のＡＴＴ素子を選択し、あるいは、それらの組み合わせを選択することにより、所望の抑圧レベルが実現される。多段階の抑圧レベルを実現可能な構成を採用するのが望ましいが、２段階の抑圧レベルをもった動的可変ＡＴＴを用いることも可能である。動的可変ＡＴＴとして連続的に抑圧レベルを可変可能なデバイスを利用してもよい。いずれにしても応答性の良好なものを採用するのが望ましい。なお、応答の遅れを見越して動的可変ＡＴＴ５２への制御信号の供給タイミングを調整してもよい。
【００３７】
本実施形態では、アナログ合成信号を構成する個々のパルス単位で、例えば、各信号発生器４４からの送信信号単位で、動的可変ＡＴＴ５２での抑圧レベルを動的に可変することが可能である。もっとも、アナログ合成信号上の１パルス期間内において段階的又は連続的に抑圧レベルを動的に可変可能なように構成することも可能である。また、１つの信号発生器４４から出力されたパルス列に対して、抑圧レベルの動的可変を適用することも可能である。
【００３８】
本実施形態では、動的可変ＡＴＴ５２が後述する周波数変換回路（特にミキサー６４）の前段に設けられている。これにより、それが周波数変換回路の後段に設けられた場合に比べて、動的可変ＡＴＴ５２での周波数特性の影響（特に位相ズレ）を小さく抑えることが可能である。すなわち、周波数変換回路の後段においては、ＲＦ送信信号の周波数の変動範囲が極めて広く（本実施形態では、５０ＭＨｚ以上１０００ＭＨｚ以下）、そこに動的可変ＡＴＴを設けた場合には、そこでの周波数特性の影響が無視できなくなり、すなわち抑圧レベルの動的変化の際に位相ズレが大きく複雑に変化してその補正が非常に困難となる。これに対して、周波数変換回路の前段に動的可変ＡＴＴを設ければ、そこを通過するＩＦ信号の周波数は固定されており（本実施形態では１２５ＭＨｚ）、あるいは、そこを通過するＲＦ信号の周波数変化幅は比較的小さいので（本実施形態では、５ＭＨｚ以上５０ＭＨｚ未満）、上記のような周波数特性の影響があっても、その影響は比較的小さく、その補正も容易となる。
【００３９】
信号処理回路５０の後段にはバイパス経路付き周波数変換回路が設けられている。周波数変換回路は、具体的には、入力側ＳＷ（スイッチ）５４、出力側ＳＷ５６、それらの間に設けられた周波数変換経路６０、バイパス経路５８等を有している。周波数変換経路６０上には、ミキサー６４及びフィルターバンク６６が設けられている。ミキサー６４においては、入力されたアナログ合成信号（この場合、中間周波数信号）に対してオシレーター６２からのローカル信号６８Ａがミキシングされ、これによりＲＦ送信信号が生成される。実際には、ミキシングで生じた不要周波数成分（例えば和周波数又は差周波数に相当するミキサーイメージ）がフィルターバンク６６において取り除かれ、これによりＲＦ送信信号が生成される。フィルターバンク６６は、例えば、並列的に設けられた複数のＬＰＦ（ローパスフィルター）またはＨＰＦ（ハイパスフィルター）を含み、その中から使用するＬＰＦまたはＨＰＦが選択される。ＲＦ周波数に従って、カットオフ周波数が静的に変更される。ＬＰＦまたはＨＰＦに代えてＢＰＦ（バンドパスフィルター）等の他のフィルターを設けるようにしてもよい。
【００４０】
本実施形態では、観測核の周波数が低周波数帯に属する場合、直接生成方式つまり非変換方式が選択されており、その場合には、入力側ＳＷ５４及び出力側ＳＷ５６がバイパス経路５８を選択する。つまり、その場合には、ミキサー６４及びフィルターバンク６６は機能しない。この場合、周波数変換回路の入力信号であるアナログ合成信号は中間周波数信号とは言えず、それはＲＦ送信信号である。つまり、直接生成方式が選択された場合、複数の信号発生器４４において最初からＲＦ送信信号が生成されることになる。
【００４１】
一方、観測核の周波数が高周波数帯に属する場合、周波数変換方式が選択されており、その場合には、入力側ＳＷ５４及び出力側ＳＷ５６が周波数変換経路６０を選択する。つまり、その場合には、ミキサー６４及びフィルターバンク６６が機能する。この場合、周波数変換回路の入力信号であるアナログ合成信号は中間周波数信号となり、それは、ミキサー６４においてローカル信号６８Ａとミキシングされ、続いてフィルターバンク６６を通過して、ＲＦ送信信号となる。なお、上記の例において、低周波数帯及び高周波数帯のそれぞれの範囲を適宜定めることが可能である。入力側ＳＷ５４及び出力側ＳＷ５６はそれぞれ静的回路であり、測定開始前にそれらの動作が設定される。もっとも、それらを動的回路として構成し、測定実行中において方式を切り換えるようにしてもよい。
【００４２】
オシレーター６２は、ミキサー６４に供給するローカル信号６８Ａを生成する信号発生器である。ローカル信号６８Ａの周波数は、ＩＦからＲＦへの周波数変換を行うために必要な周波数として定められる。オシレーター６２で生成されたローカル信号は受信信号処理部にも送られている。その信号が符号６８Ｂで示されている。同じ信号を利用することにより送信処理条件と受信処理条件を合わせることが可能である。その場合、信号経路長を合わせるのが望ましい。
【００４３】
信号処理回路７０は、周波数変換回路の後段に設けられた回路である。信号処理回路７０は、必要に応じて動作させることが可能な静的固定ＡＴＴ及び静的可変ＡＴＴを含む。静的固定ＡＴＴのアッテネート値は固定である。静的可変ＡＴＴのアッテネート値は所定単位刻みで可変設定され得る。それらはいずれも静的回路であり、それらの動作有無（及び静的動的ＡＴＴの動作条件）は測定開始前に設定される。静的固定ＡＴＴ及び静的可変ＡＴＴは、静的に設定される回路であるため、そこでの位相ズレ等を事前に特定しておくことが可能である。また、それを事前または事後に、補正することが可能である。本実施形態では、静的固定ＡＴＴ及び静的可変ＡＴＴを周波数変換回路の後段つまり送信信号生成部の最終段に設けたので、それらの抑圧作用によって、パルスシーケンスに基づき期待される送信信号の成分を生成できると共に、ＲＦ送信信号の生成処理過程で生じた不要な信号あるいは混入したノイズを抑圧できるという利点が得られる。
【００４４】
以上のように送信信号生成部３０によってＲＦ送信信号３１が生成される。そのＲＦ送信信号３１は図１に示したパワーアンプ３２において増幅され、増幅されたＲＦ送信信号がＴ／Ｒスイッチ３８を経由してプローブ４２へ出力される。
【００４５】
（３）受信信号処理部
次に、図３を用いて受信信号処理部３４の具体的な構成例について説明する。プリアンプ４１によって増幅されたＲＦ受信信号４３は、信号処理回路８０を経て、バイパス経路付き周波数変換回路に入力される。信号処理回路８０は、固定アンプ、可変アンプ、可変ＡＴＴ等を有するものである。それらの回路は静的回路である。信号処理回路８０において、周波数変換回路の前段つまり受信信号処理部の最初段においてＮＭＲ信号を増幅することが可能なため、受信処理過程で生じる不要な信号あるいは混入するノイズの影響を低減できるという利点が得られる。但し、受信信号について必要な純度等を維持できる限りにおいて、それらの回路を動的回路に変更してもよい。
【００４６】
周波数変換回路は、具体的には、入力側ＳＷ８２、出力側ＳＷ８４、それらの間に設けられた周波数変換経路８８、バイパス経路８６等を有している。周波数変換経路８８上には、ミキサー９０及びＢＰＦ９２が設けられている。それらはいずれも静的回路である。ミキサー９０においては、入力されたアナログＲＦ受信信号に対してオシレーターからのローカル信号６８Ｂがミキシングされ、これにより中間周波数信号が生成される。実際には、ミキシングで生じた不要周波数成分がＢＰＦ９２において取り除かれ、これにより中間周波数信号９３が生成される。ＢＰＦ９２は、ミキシングにより生じた不要信号成分（例えば和周波数又は差周波数に相当するミキサーイメージ）を除去する他、後述するアンダーサンプリングとの関係で、不要信号を抑圧しておくアンチエイリアスフィルターとしても機能している。本実施形態では、第３ナイキストゾーン（例えば１００ＭＨｚサンプリングに対して１００〜１５０ＭＨｚ）に中間周波数信号としての目的信号（例えば１２５ＭＨｚ）が現れる。周波数軸上において、第３ナイキストゾーン以外に存在する信号成分（ノイズ）がＢＰＦ９２によって除去されている。なお、アンダーサンプリング後において、第１ナイキストゾーン（０〜５０ＭＨｚ）に現れる２次折り返し成分（目的信号の非反転のミラー成分）が観測される。
【００４７】
上述したように、本実施形態では、観測核の周波数が低周波数帯に属する場合、直接生成方式つまり非変換方式が選択されており、その場合には、入力側ＳＷ８２及び出力側ＳＷ８４がバイパス経路８６を選択する。つまり、その場合には、ミキサー９０及びＢＰＦ９２は機能しない。この場合、周波数変換回路の出力信号は中間周波数信号とは言えず、それはＲＦ受信信号である。
【００４８】
一方、観測核の周波数が高周波数帯に属する場合、周波数変換方式が選択されており、その場合には、入力側ＳＷ８２及び出力側ＳＷ８４が周波数変換経路８８を選択する。その場合には、ミキサー９０及びＢＰＦ９２が機能する。ミキサー９０においてＲＦ受信信号がローカル信号６８Ｂとミキシングされ、続いてＢＰＦ９２を通過して、中間周波数信号９３となる。送信側周波数変換回路及び受信側周波数変換回路は連動して動作する。つまり、それらはともに同じ方式を選択する。もっとも、それぞれの周波数変換回路において別々の方式を選択させることも考えられる。あるいは、周波数変換回路を送信側及び受信側の一方にだけ設けることも考えられる。本実施形態では、観測核の周波数に応じて方式を選択していたが、ユーザーにより方式を選択させてもよいし、あるいは、他の条件に応じて方式が自動的に選択されるように構成してもよい。
【００４９】
バイパス経路の選択によれば、つまり非変換方式によれば、送信信号及び受信信号（特に受信信号）の純度を維持できるという利点が得られる。すなわち、信号が回路を通過する際、その信号はその回路の特性等の影響を不可避的に受ける。これにより信号成分が変化しあるいは他の成分が混入してしまう問題が生じる。ミキサー等もそのような要因となるものである。特に、受信信号については純度の維持が大切であり、とりわけＮＭＲ信号の感度や精度が問題となる低い周波数においては純度の維持が重要な事項となる。本実施形態によれば、ＲＦ周波数が低い場合には、非変換方式を選択して、送信側及び受信側においてミキサー等をバイパスするようにしたので、高周波信号のミキシングや信号処理等に起因して送信信号及び受信信号に対して不要信号やノイズが入り込んでしまう問題を回避できるという利点が得られる。
【００５０】
信号処理回路９４は、固定アンプ、可変ＡＴＴ、ＬＰＦ、可変アンプなどの回路を有する。それらの回路は静的回路である。但し、受信信号の品質を維持できる限りにおいて動的回路を採用することも可能である。
【００５１】
ＡＤＣ（ＡＤ変換器）９６は、入力されるアナログ受信信号（ＲＦ受信信号又は中間周波数信号）９５をデジタル受信信号９７に変換する回路である。そのサンプリング周波数は本実施形態において例えば１００ＭＨｚである。本実施形態において、観測核の周波数が５ＭＨｚ以上５０ＭＨｚ未満の低周波数帯に属する場合、ＡＤＣ９６のサンプリング方式はオーバーサンプリングとなる。つまり、ナイキスト定理に従って、１００ＭＨｚの１／２（５０ＭＨｚ）未満の周波数をもった信号に対するサンプリングとなる。
【００５２】
一方、観測核の周波数が５０ＭＨｚ以上１０００ＭＨｚ以下の高周波数帯に属する場合、ＡＤＣ９６のサンプリング方式はアンダーサンプリングとなる。つまり、ミキサー９０の作用によって、ＲＦ受信信号の周波数が中間周波数１２５ＭＨｚに固定的に変換される。その中間周波数信号が１００ＭＨｚでサンプリングされる。それを前提として、第３ナイキストゾーンから第２ナイキストゾーンを経て第１ナイキストゾーンへ折り返してくる折り返し信号（２次折り返し信号）が観測対象となる。その場合においても、上記ＢＰＦ９２の作用によって、不要なノイズが事前に低減されているので、Ｓ／Ｎ比の低下が防止されている。第１ナイキストゾーンにおいては第３ナイキストゾーンと同じようにスペクトルが現れる。よって、第１ナイキストゾーンを通じて、第３ナイキストゾーンに存在する信号を観測すれば、スペクトル反転処理等が不要となり、信号解析を簡便に行えるという利点が得られる。
【００５３】
本実施形態においては、中間周波数が１２５ＭＨｚであり、それに対するサンプリングに当たっては本来、２５０ＭＨｚ以上、望ましくは例えば３００ＭＨｚ以上のサンプリング周波数が必要となる（この場合、オーバーサンプリングとなる）。そのような高速サンプリングを行うことができ、特に高いデータ分解能を有するＡＤＣ（例えば１６ｂｉｔ以上で２００Ｍｓｐｓ以上のもの）は、比較的高価であり、入手・採用が困難なことが多い。本実施形態によれば、中間周波数信号に対してはアンダーサンプリング方式を適用できるので、しかもＢＰＦを効果的に利用しているので、比較的安価で分解能が良好なＡＤＣを利用しつつも、良好な測定精度を得られる。
【００５４】
直交検波回路は、ＡＤＣ９６の後段に設けられており、それは並列的に設けられた２つのミキサー９８，１００を含む。それらのミキサー９８，１００は、参照信号生成回路１０２において生成された一対の参照信号９９、具体的にはcos信号９９Ａ及びsin信号９９Ｂをデジタル受信信号９６に乗算するものである。これによりその受信信号がオーディオ周波数帯域の複素信号１０１に変換される。複素信号１０１は、実数部信号１０１Ａと虚数部信号１０１Ｂとからなるものである。
【００５５】
参照信号生成回路１０２は、本実施形態において、一対の参照信号を生成する２つの受信用ＮＣＯを有している。個々の受信用ＮＣＯは同じ構成を有する。更に言えば、各受信用ＮＣＯとして、送信信号を生成する送信用ＮＣＯと同様のものが利用されている。すなわち、受信用ＮＣＯは、任意周波数生成機能、周波数変調機能、位相変調機能を有する。処理対象となる受信信号が中間周波数信号であればそれをベースバンドへ変換するための一定周波数（例えば２５ＭＨｚ）をもった一対の参照信号が生成される。受信信号がＲＦ受信信号であればそれをベースバンドへ変換するための周波数（例えば先述の５０ＭＨｚ未満）をもった一対の参照信号が生成される。
【００５６】
本実施形態において、２つの受信用ＮＣＯの動作は受信シーケンサーによって制御される。よって、測定実行中において各受信用ＮＣＯに与えるパラメータを動的に変更して、位相変調条件、周波数変調条件を動的に切り換えることが可能である。もちろん、参照信号の周波数を動的に変更してもよい。このように本実施形態においては、高機能型の直交検波回路が実現されている。これにより、多様なニーズを満たす高度な測定、及び、高い自由度をもった信号処理を実現できる。
【００５７】
直交検波回路の後段には２つのデジタルフィルター回路１０４，１０６が設けられている。それらはいずれも静的回路であり、ミキシングより生じた不要信号成分を除去する機能と、ＦＦＴ演算前において必要なデータ点数の間引きによるサンプリングレートの実効的な変換（デシメーション）を行う機能と、を有する。各デジタルフィルター回路１０４，１０６は例えばＣＩＣデシメーション回路により構成される。所定の処理を経た受信信号１０８すなわち実数部信号１０８Ａ及び虚数部信号１０８Ｂは、受信データとして、受信データ用メモリーへ格納される。その後、受信データ用メモリーから読み出された受信データに対して周波数解析等の処理が実行される。
【００５８】
なお、図１に示した、シーケンサー２６，２８、送信信号生成部３０及び受信信号処理部３４はＦＰＧＡ等のデバイスによって実現され得る。
【００５９】
（４）観測核の周波数に従う動作条件の適応的選択
図４には、観測核の周波数との関係で選択される２つの動作条件が整理されている。符号１１０は観測核の周波数（ＲＦ）を示しており、符号１１２は送信信号（原信号）及びサンプリング対象としての受信信号を示しており、符号１１４は送信側での経路選択の内容を示しており、符号１１６は受信側での経路選択の内容を示しており、符号１１８はサンプリング方式を示している。符号１２０は観測核の周波数が５ＭＨｚ以上で５０ＭＨｚ未満の場合つまり低周波数帯に属する場合を示しており、符号１２２は観測核の周波数が５０ＭＨｚ以上で１０００ＭＨｚ以下の場合つまり高周波数帯に属する場合を示している。
【００６０】
図４に示されるように、観測核の周波数が低周波数帯に属する場合（符号１２０参照）、直接生成方式（非変換方式）が適用され、具体的には、生成される送信信号は中間周波数信号ではなくＲＦ送信信号となり、送信側においてはバイパス経路が選択され、受信側においてもバイパス経路が選択される。更にサンプリング方式はオーバーサンプリングとなる。その場合のサンプリング対象はＲＦ受信信号である。
【００６１】
一方、観測核の周波数が高周波数帯に属する場合（符号１２２参照）、周波数変換方式が適用され、具体的には、生成される送信信号はＲＦ送信信号ではなく中間周波数信号となり、送信側においては周波数変換経路が選択され、受信側においても周波数変換経路が選択される。更にサンプリング方式はアンダーサンプリングとなる。サンプリング対象は中間周波数信号（ＩＦ信号）である。
なお、低周波数帯の下限を、５ＭＨｚよりも低い周波数（例えば１ＭＨｚ）にしてもよいし、５ＭＨｚよりも高い周波数（例えば１０ＭＨｚ）にしてもよい。高周波数帯の上限を、１０００ＭＨｚよりも高い周波数（例えば１５００ＭＨｚ）にしてもよいし、１０００ＭＨｚよりも低い周波数（例えば５００ＭＨｚ）にしてもよい。上記の例では、２つの周波数帯を区分する境界周波数が５０ＭＨｚであったが、それをもう少し低い周波数に設定してもよい。サンプリング周波数に応じて適切な境界周波数を定めるのが望ましい。２つの周波数帯の一部がオーバーラップしており、その部分については動作条件を選択できるように構成してもよい。あるいは、２つの周波数帯の間に、選択できない周波数帯が存在していてもよい。
【００６２】
（５）周波数変換方式及び非変換方式の選択についての詳細説明
図５には、送信側周波数変換回路の第１動作例（非変換方式が選択された場合の動作例）が示されている。図５において、観測核の周波数が低周波数帯に属する場合、２つのＳＷ５４，５６の作用によりバイパス経路５８が選択され、ＲＦ送信信号がそのバイパス経路５８を通過する。この例ではバイパス経路５８上には何らの回路も設けられていない。なお、この状態において、オシレーターの動作を停止させてもよいが、その動作の安定性を確保するために、オシレーターの動作を継続させるのが望ましい。いずれにしても、非変換方式が選択された場合、ミキサー及びフィルターバンクは実質的に機能しない。
【００６３】
図６には、送信側周波数変換回路の第２動作例（周波数変換方式が選択された場合の動作例）が示されている。図６において、観測核の周波数が高周波数帯に属する場合、２つのＳＷ５４，５６の作用により周波数変換経路６０が選択され、中間周波数信号（ＩＦ送信信号）が周波数変換経路６０を通過する。周波数変換経路６０上にはミキサー６４及びフィルターバンク６６が設けられている。それらの回路によってＩＦ送信信号がＲＦ送信信号に変換される。その場合、ミキサー６４に入力されているローカル信号の周波数を変更することにより所望の周波数をもったＲＦ送信信号が生成される。
【００６４】
図７には、受信側周波数変換回路の第１動作例（非変換方式が選択された場合の動作例）が示されている。図７において、観測核の周波数が低周波数帯に属する場合、２つのＳＷ８２，８４の作用によりバイパス経路８６が選択され、ＲＦ受信信号がバイパス経路８６を通過する。この例ではバイパス経路８６上には何らの回路も設けられていない。
【００６５】
図８には、受信側周波数変換回路の第２動作例（周波数変換方式が選択された場合の動作例）が示されている。図８において、観測核の周波数が高周波数帯に属する場合、２つのＳＷ８２，８４の作用により周波数変換経路８８が選択され、中間周波数信号（ＩＦ受信信号）が周波数変換経路８８を通過する。周波数変換経路８８上にはミキサー９０及びＢＰＦ９２が設けられている。それらの回路によってＲＦ受信信号がＩＦ受信信号に変換される。その場合、ミキサー９０には、送信側周波数変換で使用されたローカル信号と同一の信号が入力されている。
【００６６】
送信側周波数変換及び受信側周波数変換において、観測核の周波数が低域側の第１周波数範囲（ＬＦ範囲）に属する場合にミキシング後の差周波数成分を抽出し、一方、観測核の周波数が第１周波数範囲よりも高域側の第２周波数範囲（ＨＦ範囲）に属する場合にミキシング後の和周波数成分を抽出する構成を採用することも可能である。この構成によれば、観測核の周波数がＬＦ範囲に属する場合に、オシレーターで生成するローカル信号の周波数が観測核の周波数に対して中間周波数分だけ高くなり、一方、観測核の周波数がＨＦ範囲に属する場合に、オシレーターで生成するローカル信号の周波数が観測核の周波数に対して中間周波数分だけ低くなる。つまり、オシレーターで生成すべき周波数幅を狭められる。これにより、回路構成上の利点を得られる。一般に、生成する信号（この場合は、ローカル信号）の周波数の高まりに応じて、高い信号純度を生じさせることが困難になっていくので、上記構成によれば、この問題を低減または回避できる。なお、上記構成を採用する場合にはミキサー後段でのフィルター回路の特性を差周波数成分抽出と和周波数成分抽出とで切り換える必要がある。
【００６７】
図９には、送信側周波数変換回路の第２例が示されている。図９において、図３に示した構成と同様の構成には同一符号が付してある。このことは他の図においても同様である。バイパス経路６０上には図示の例ではフィルターバンク１７０が設けられている。すなわち、バイパス経路６０上をＲＦ送信信号が流れる際に、その信号に対してフィルター処理等の必要な処理を施すようにしてもよい。フィルターバンク１７０は、ＲＦ送信信号の周波数に応じて周波数特性を可変可能なものである。フィルターバンクに代えて可変ＢＰＦ等の他のフィルター回路や別の処理回路を設けてもよい。
【００６８】
図１０には、受信側周波数変換回路の第２例が示されている。バイパス経路８６上にはフィルターバンク１７２が設けられている。バイパス回路８６にＲＦ受信信号が流れる際、ＲＦ受信信号に対して必要に応じてフィルター処理等が施される。フィルターバンク１７２は、ＲＦ受信信号の周波数に応じて周波数特性を可変可能なものである。
【００６９】
図１１には、送信側周波数変換回路の第３例が示されている。この例では、２つのＳＷ５４，５６との間に周波数変換経路５８、第１バイパス経路６０、及び、第２バイパス経路１７４が並列的に設けられている。第１バイパス経路６０を選択した場合、ＲＦ送信信号がフィルターバンク１７０を通過する。ＲＦ送信信号に対してフィルター処理を適用したい場合には第１バイパス経路６０が選択される。第２バイパス経路１７４を選択した場合、ＲＦ送信信号がそのまま出力される。この場合、その信号の純度を維持することが可能であり、広域にわたる周波数変調を適用した場合等に、フィルターによる影響を回避できる利点がある。なお、周波数変換経路５８を選択する場合に比べて第１バイパス経路６０を選択する場合の方が経路上の回路数が少ないので一般に信号純度の低下が少ない。
【００７０】
図１２には、受信側周波数変換回路の第３例が示されている。この例では、２つのＳＷ８２，８４との間に周波数変換経路８８、第１バイパス経路８６、及び、第２バイパス経路１７６が並列的に設けられている。第１バイパス経路８６を選択した場合、ＲＦ受信信号がフィルターバンク１７２を通過する。ＲＦ受信信号に対してフィルター処理を適用したい場合には第１バイパス経路８６が選択される。第２バイパス経路１７６を選択した場合、ＲＦ受信信号がそのまま出力される。この場合、その信号の純度を維持することが可能である。なお、周波数変換経路８８を選択する場合に比べて第１バイパス経路８６を選択する場合の方が経路上の回路数が少ないので一般に信号純度の低下が少ない。特に受信信号処理において信号純度の維持は重要である。
【００７１】
図１３には、送信側周波数変換回路の第４例が示されている。この例では、周波数変換経路５８上にはミキサー６４しか設けられていない。ＳＷ５６の後段にフィルターバンク１７８が設けられている。ミキシング後に生じる和周波数成分又は差周波数成分の抽出がフィルターバンク１７８によって行われている。バイパス経路６０上には何らの回路も設けられていないが、その経路を通過するＲＦ送信信号に対しては必要に応じてＳＷ５６の後段に設けられたフィルターバンク１７８によってフィルター処理を施すことも可能である。フィルターバンク１７８は、ＲＦ送信信号の周波数に応じて帯域制限を行う複数のフィルターによって構成され、それらの中から適切なフィルターが選択される。
【００７２】
図１４には、受信側周波数変換回路の第４例が示されている。この例では、周波数変換経路８８上にはミキサー９０しか設けられていない。ＳＷ８４の後段にフィルターバンク１８０が設けられている。ミキシング後に生じる和周波数成分又は差周波数成分の抽出がフィルターバンク１８０によって行われている。バイパス経路８６上には何らの回路も設けられていないが、その経路を通過するＲＦ受信信号に対しては必要に応じてＳＷ５６の後段に設けられたフィルターバンク１８０によってフィルター処理を施すことが可能である。フィルターバンク１８０は、例えば、中間周波数信号を抽出するためのフィルター、及び、ＲＦ受信信号に対する帯域処理を施すための１又は複数のフィルターによって構成される。
【００７３】
図１５には、送信側及び受信側の周波数変換回路の第５例が示されている。図示されるように、送信側及び受信側のいずれにおいても、バイパス経路は設けられていないが、非変換方式が選択された場合にはミキサー６４及び９０は実質的に動作しない構成となっている。具体的には、オシレーター６２からのローカル信号がＳＷ１８４の一方の入力端子に入力されており、ＳＷ１８４の他方の入力端子にはＤＣ信号が入力されている。周波数変換方式が選択された場合、ローカル信号が送信側ミキサー６４及び受信側ミキサー９０へ出力される。これにより、送信側ミキサー６４では、中間周波数信号に対するローカル信号のミキシングが行われる。それにより生成された信号がフィルターバンク１８２に送られる。受信側ミキサー９０では、ＲＦ受信信号に対するローカル信号のミキシングが行われる。それにより生成された信号がフィルターバンク１８６に送られる。
【００７４】
一方、非変換方式が選択された場合、ＤＣ信号（例えば振幅１．０をもった０Ｈｚ信号）が送信側ミキサー６４及び受信側ミキサー９０へ出力される。送信側ミキサー６４は、ＲＦ送信信号に対してＤＣ信号をミキシングする（あるいは、ＤＣ信号入力によってミキサー６４がＲＦ送信信号をスルーする動作状態となる）。ミキサー６４から出力されたＲＦ送信信号は必要に応じてフィルターバンク１８２でフィルター処理された上で、その信号がパワーアンプへ送られる。受信側ミキサー９０は、ＲＦ受信信号に対してＤＣ信号をミキシングする（あるいは、ＤＣ信号入力によってミキサー６４がＲＦ受信信号をスルーする動作状態となる）。ミキサー９０から出力されたＲＦ受信信号は必要に応じてフィルターバンク１８６でフィルター処理された上で、その信号が後段の回路へ送られる。この構成によれば、経路選択（ルーティング）によらずに周波数変換動作と非変換動作とを切り換えることが可能である。なお、上記構成において、オシレーター６２の動作を停止させることにより、上記同様の動作が行われるように構成してもよい。
【００７５】
本実施形態では、観測核の周波数に応じて周波数変換方式及び非変換方式が選択されたが、他の条件に基づいて方式が選択されるように構成してもよい。例えば、信号純度を優先させる第１モードと、周波数依存性の影響の回避又は低減を優先させる第２モードと、を用意しておき、第１モードがマニュアルであるいは自動的に選択された場合には非変換方式が選択されるようにし、第２モードがマニュアルであるいは自動的に選択された場合には周波数変換方式が選択されるようにしてもよい。
【符号の説明】
【００７６】
１０  ホストコンピューター、１２  分光計制御コンピューター、２０  送受信ユニット、２２  命令列用メモリー、２４  制御レジスター用メモリー、２６  送信シーケンサー、２８  受信シーケンサー、３０  送信信号生成部、３２  パワーアンプ、３４  受信信号処理部、４０  プローブ、４４  信号発生器、４８  ＤＡＣ、５２  動的可変ＡＴＴ、５８  バイパス経路、６０  周波数変換経路、６４  ミキサー、８６  バイパス経路、８８  周波数変換経路、９０  ミキサー、９６  ＡＤＣ、９８，１００  ミキサー、１０２  参照信号生成回路。
【図１】
0006388304.tif 000002
【図２】
0006388304.tif 000003
【図３】
0006388304.tif 000004
【図４】
0006388304.tif 000005
【図５】
0006388304.tif 000006
【図６】
0006388304.tif 000007
【図７】
0006388304.tif 000008
【図８】
0006388304.tif 000009
【図９】
0006388304.tif 000010
【図１０】
0006388304.tif 000011
【図１１】
0006388304.tif 000012
【図１２】
0006388304.tif 000013
【図１３】
0006388304.tif 000014
【図１４】
0006388304.tif 000015
【図１５】
0006388304.tif 000016